(57)【要約】【課題】記憶部の容量に起因した適切でないダウンロードを防止することが可能なメディアプレーヤーを提供する。【解決手段】データーを再生するメディアプレーヤーにおいて、所定のメディアに記憶されたデーターを再生して出力するメディア制御部と、前記メディアに記憶されたデーターに対応した付加データーをネットワークを通じてダウンロードするデーター取得手段と、前記ダウンロードされたデーターを記憶する記憶部と、前記記憶部の記憶容量をチェックし、前記記憶容量が所定値より少ない場合は、記憶容量が少ないことを通知する通知手段と、を有する。【選択図】図２
2011114782.tif 000002
【特許請求の範囲】
【請求項１】
データーを再生するメディアプレーヤーにおいて、
所定のメディアに記憶されたデーターを再生して出力するメディア制御部と、
前記メディアに記憶されたデーターに対応した付加データーをネットワークを通じてダウンロードするデーター取得手段と、
前記ダウンロードされたデーターを記憶する記憶部と、
前記記憶部の記憶容量をチェックし、前記記憶容量が所定値より少ない場合は、記憶容量が少ないことを通知する通知手段と、を有することを特徴とするメディアプレーヤー。
【請求項２】
前記記憶部は、当該メディアプレーヤーに着脱可能に接続され、
前記通知手段は、前記記憶部が接続された際、前記通知を行うことを特徴とする請求項１に記載のメディアプレーヤー。
【請求項３】
前記通知手段は、前記ダウンロードが開始される際に、前記通知を行うことを特徴とする請求項１に記載のメディアプレーヤー。
【請求項４】
所定画像を表示する表示手段を有し、
前記通知手段は、前記記憶部の記憶容量が少ないことを通知する通知画像を前記表示手段に表示させることを特徴とする請求項１〜請求項３のいずれか一項に記載のメディアプレーヤー。
【請求項５】
所定画像を表示する表示手段を有し、
前記記憶部は、当該メディアプレーヤーに着脱可能に接続され、
前記通知手段は、前記記憶部が接続された際、前記記憶部の記憶容量が少ないことを通知する通知画像を前記表示手段に表示させることを特徴とする請求項１に記載のメディアプレーヤー。
【発明の詳細な説明】
【技術分野】
【０００１】
本発明は、メディアプレーヤーに関し、特にネットワークを通じて付加データーをダウンロードするメディアプレーヤーに関する。
【背景技術】
【０００２】
従来、所定のメディアを再生するメディアプレーヤーが知られている。このようなメディアプレーヤーは、メディアに記憶されたデーターを読み取ることで再生を行う。また、近年ではメディアの記憶容量の増加に伴い、再生可能なデーターのコンテンツが拡張しており、メディアプレーヤーに対して様々な用途が模索されている。
【０００３】
上記したメディアプレーヤーの中には、ネットワークを介してデーターをダウンロード可能なものも知られている。このようなメディアプレーヤーは、ネットワークを通じてダウンロードサーバーと接続し、このダウンロードサーバーに記憶された所定のデーターをダウンロードする。ダウンロードされたデーターは、記憶部に記憶され、メディアを再生する際に付加的に利用される（例えば、特許文献１−３参照）。
【先行技術文献】
【特許文献】
【０００４】
【特許文献１】特開２００８−５２７６０１号公報
【特許文献２】特開２００９−１１１５３０号公報
【特許文献３】特開２００２−２９０９４８号公報
【発明の概要】
【発明が解決しようとする課題】
【０００５】
ネットワークにおける転送速度及び転送量の増加に伴い、メディアプレーヤーがダウンロードできるデーター量も日々増加している。そのため、記憶部に必要とされる記憶容量も増加傾向にある。そのため、記憶部の空き容量が所定容量を満たさない場合は、全てのデーターがダウンロードされないといったように、ダウンロードが正しく行われない場合があった。
【０００６】
本発明は、上記課題にかんがみてなされたもので、記憶部の容量に起因した適切でないダウンロードを防止することが可能なメディアプレーヤーの提供を目的とする。
【課題を解決するための手段】
【０００７】
上記課題を解決するために、本発明では、データーを再生するメディアプレーヤーにおいて、所定のメディアに記憶されたデーターを再生して出力するメディア制御部と、前記メディアに記憶されたデーターに対応した付加データーをネットワークを通じてダウンロードするデーター取得手段と、前記ダウンロードされたデーターを記憶する記憶部と、前記記憶部の記憶容量をチェックし、前記記憶容量が所定値より少ない場合は、記憶容量が少ないことを通知する通知手段と、を有する構成としてある。
【０００８】
上記のように構成された発明では、所定のメディアに記憶されたデーターを再生して出力するメディア制御部と、メディアに記憶されたデーターに対応した付加データーをネットワークを通じてダウンロードするデーター取得手段とを有するメディアプレーヤーにおいて、通知手段は、ダウンロードされたデーターを記憶する記憶部の記憶容量をチェックし、記憶容量が所定値より少ない場合は、記憶容量が少ないことを通知する。
そのため、記憶部の空き容量が足りない場合は通知手段が自動で通知を行うため、ユーザーが記憶部の記憶容量を逐次意識しなくとも、記憶部の容量に起因した適切でないダウンロードを防止することができる。
【０００９】
また、通知手段が通知を行うタイミングの一例として、前記記憶部は、当該メディアプレーヤーに着脱可能に接続され、前記通知手段は、前記記憶部が接続された際、前記通知を行う構成としてもよい。
上記のように構成された発明では、記憶部が接続される毎に空き容量の通知を行うため、記憶部の使用に応じて空き容量の通知を行うことができる。
【００１０】
そして、通知手段が通知を行うタイミングの一例として、前記通知手段は、前記ダウンロードが開始される際に、前記通知を行う構成としてもよい。
上記のように構成された発明では、ダウンロード毎に通知が行われるため、記憶部における実際の使用に対応して空き容量を通知させることができる。
【００１１】
また、通知手段が記憶容量の通知を行う手法の一例として、所定画像を表示する表示手段を有し、前記通知手段は、前記記憶部の記憶容量が少ないことを通知する通知画像を前記表示手段に表示させる構成としてもよい。
上記のように構成された発明では、表示手段を介してユーザーに記憶容量の不足を視覚可能に通知するため、不適切なダウンロードをより防止することができる。
【００１２】
そして、本発明の他の局面として、所定画像を表示する表示手段を有し、前記記憶部は、当該メディアプレーヤーに着脱可能に接続され、前記通知手段は、前記記憶部が接続された際、前記記憶部の記憶容量が少ないことを通知する通知画像を前記表示手段に表示させる構成としてもよい。
【発明の効果】
【００１３】
以上説明したように本発明によれば、ユーザーが記憶部の記憶容量を逐次意識しなくとも、記憶部の容量に起因した適切でないダウンロードを防止することができる。
また請求項２にかかる発明によれば、記憶部の使用に応じて空き容量の通知を行うことができる。
そして請求項３にかかる発明によれば、記憶部における実際の使用に対応して空き容量を通知させることができる。
さらに請求項４にかかる発明によれば、不適切なダウンロードをより防止することができる。
【図面の簡単な説明】
【００１４】
【図１】メディアプレーヤーとダウンロードサーバーとの関係を示す図である。
【図２】第１の実施形態にかかるメディアプレーヤーの構成を示すブロック図である。
【図３】特典映像のダウンロード時に録画再生装置８０が実行する処理を説明するフローチャートである。
【図４】特典映像のダウンロード時に表示装置９０が実行する処理を説明するフローチャートである。
【図５】録画再生装置８０のダウンロードが完了した際に、表示装置９０に表示される表示画面を示す図である。
【図６】第２の実施形態にかかる特典映像のダウンロード時に録画再生装置８０が実行するメモリーカード８３の空き容量通知処理を説明するフローチャートである。
【発明を実施するための形態】
【００１５】
以下、下記の順序に従って本発明の実施形態を説明する。
（１）第１の実施形態：
（２）第２の実施形態：
（３）第３の実施形態：
（４）その他の実施形態：
【００１６】
（１）第１の実施形態： 
以下、図を参照して、この発明に係るメディアプレーヤーを具体化した第１の実施形態について説明する。図１は、メディアプレーヤーとダウンロードサーバーとの関係を示す図である。また、図２は、第１の実施形態にかかるメディアプレーヤーの構成を示すブロック図である。なお、第１の実施形態では、メディアプレーヤー１００は、表示手段として表示装置を備えるシステムとして説明を行うが、メディアプレーヤーの構成はこれに限定されない。
【００１７】
表示装置９０と録画再生装置８０とは、ＨＤＭＩ（High Definition Multimedia Interface）規格のケーブル７０を介して接続されており、録画再生装置８０と表示装置９０との間でデーターを通信することが可能である。また、録画再生装置８０は、ユーザーがディスクメニューのＢＤ−Ｌｉｖｅを選択することでネットワークＮを通じてダウンロードサーバー６０と接続し、このダウンロードサーバー６０が記憶するデーターをダウンロードすることができる。なお、ＢＤ−Ｌｉｖｅについては後述する。
【００１８】
録画再生装置８０は、以下の要部を備えて構成されている。符号８１は、メディア制御部であり、所定のメディアをもとに録画又は再生を行う。符号８２は、システムコントローラー８２であり、録画再生装置８０の駆動を制御する。符号８３は、メモリーカードであり、所定のデーターを記憶する。符号８４は、ＯＳＤ回路であり、メディア制御部８１が出力するデーターにＯＳＤ画像を重畳させて出力する。符号８５は、ＨＤＭＩ通信部であり、ＨＤＭＩ規格に準じてデーターを送信する。符号８６は、ネットワークＩ／Ｆであり、所定のプロトコルに従って録画再生装置８０をネットワークＮに接続させる。符号８７は、リモコン受信部であり、図示しないリモコン装置から送信される制御信号をシステムコントローラー８２に送信する。符号８８は、メモリーＩ／Ｆであり、メモリーカード８３と着脱可能に接続して、メモリーカード８３に対するアクセスを制御する。
【００１９】
メディア制御部８１は、ＢＤ（ブルーレイディスク）やＤＶＤ等のメディアに記憶されたデーターを光ピックアップ部により読取り、ＨＤＭＩ通信部８５を通じて表示装置９０に送信する。また、録画再生装置８０が表示装置９０から出力されるデーターをケーブル７０を通じて受信した場合は、メディア制御部８１は光ピックアップ部により取得したデーターをメディアに記憶させる。
【００２０】
システムコントローラー８２は、図示しないＣＰＵや、ＣＰＵを駆動させるためのプログラムやデーターが記憶されたＲＯＭ、及びＣＰＵのワークエリアとして作用するＲＡＭを備えて構成されている。また、システムコントローラー８２は、ユーザーがリモコン受信部８７を介して送信した制御信号により、録画再生装置８０の駆動を制御する。なお、システムコントローラー８２と、録画再生装置８０を構成する各部はバスを介して接続されており、このバスを介して制御が行われる。
【００２１】
メモリーカード（記憶部）８３は、例えばＥＥＰＲＯＭであり、メモリーＩ／Ｆ８８と着脱可能に接続することができる。メモリーカード８３は、ダウンロードサーバー６０から送信されるデーターを記憶する。メモリーカード８３に記憶されるデーターの一例としては、録画再生装置８０の製造元のダウンロードサーバーからダウンロードされた設定データーや、「ＢＤ−Ｌｉｖｅ」が選択された際、メディアの出荷元のダウンロードサーバーからダウンロードされる付加データーである。
【００２２】
ＯＳＤ回路８４は、メディア制御部８１から出力される映像データーにＯＳＤ画像を合成して出力させる。ＯＳＤ回路８４が出力させるＯＳＤ画像としては、録画再生装置８０の各種設定を選択するためのメニュー画面、及びメディア再生時における、ディスクメニュー等が含まれる。なお、ＯＳＤ回路８４が出力するＯＳＤ画像は予め内部メモリーに記憶されたものであり、制御コマンドに応じて出力されるＯＳＤ画像が決定される。
【００２３】
ＨＤＭＩ通信部８５は、表示装置９０に実装されるＨＤＭＩ通信部９１（後述）との間でＨＤＭＩ規格に準じた通信を行うためのインタフェ−スであり、映像・音声データー及び制御コマンドを通信する。また、本実施形態では制御コマンドとして、ＣＥＣ（Consumer Electronics Control）規格に準じた制御コマンドを用いる。この制御コマンドにより、録画再生装置８０からは、ケーブル７０を通じて表示装置９０の駆動を制御することが可能となる。
【００２４】
ネットワークＩ／Ｆ８６は、ネットワークＮを通じた録画再生装置８０とダウンロードサーバーとの接続を確立する。本実施形態では、ユーザーがＢＤの再生中に、ディスクメニューからＢＤ−Ｌｉｖｅを選択した場合は、システムコントローラー８２はネットワークＩ／Ｆ８６にこのＢＤの再生に対応したデーターをダウンロードサーバー６０からダウンロードさせる。ここで、ＢＤ−Ｌｉｖｅとは、ＢＤに記憶されたデーターと付加的な役割を示すデーターをダウンロードさせるモードである。このＢＤ−Ｌｉｖｅでは、例えば、ＢＤに記憶された字幕を補間する追加字幕や、ＢＤに記憶されたデーターの製造元から供給される映像（いわゆる特典映像）がダウンロードされる。そのため、システムコントローラー８２、ネットワークＩ／Ｆ８６により、本発明のデーター取得手段を実現する。
【００２５】
＝＝＝表示装置９０の構成＝＝＝
表示装置９０は以下の要部を備えて構成されている。符号９１は、ＨＤＭＩ通信部であり、録画再生装置８０のＨＤＭＩ通信部８５との間でデーターの通信を行なう。符号９２は、制御部であり、表示装置９０の駆動を制御する。符号９３は、フロントエンド部であり、図示しないアンテナが受信した放送電波からリモコン装置により選局されたチャンネルのデジタルデーターを抽出する。符号９４は、バックエンド部であり、切り替え部９９により選択されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置から出力される赤外線信号を受信し、制御部９２に制御コマンドを出力する。
【００２６】
制御部９２は、リモコン受信部９８を介して入力される制御コマンド、及びＨＤＭＩ通信部９１を介して録画再生装置８０から送信されたＣＥＣ規格に準じた制御コマンドにより、表示装置９０の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。なお、制御部９２と、表示装置９０を構成する各部はバスを介して接続されており、このバスを介して制御が行われる。
【００２７】
フロントエンド部９３は、各種アンテナが受信した放送電波からユーザーがリモコン装置により選局されたチャンネルの変調信号を抽出する選局部や、選局された変調信号からデジタルデーターを抽出する伝送路復号部を備えて構成されている。
【００２８】
バックエンド部９４は、取得されたデジタルデーターのスクランブルを解除するデスクランブル部や、スクランブルを解除されたデジタルデーターからＭＰＥＧ形式の映像・音声信号、及びＴＳ信号を取り出すＭＰＥＧ多重分離部、更には、映像・音声信号を復号する映像・音声復号部を備えて構成されている。
【００２９】
上記構成により、録画再生装置８０と表示装置９０とは、一体となってメディアに記憶された映像及び音声を再生する。また、録画再生装置８０は、メディア再生時において、ディスクメニューの「ＢＤ−Ｌｉｖｅ」が選択された場合は、ネットワークＮを通じてダウンロードサーバー６０に接続し、所定のデーターをダウンロードする。
【００３０】
録画再生装置８０のダウンロード処理では、メモリーカード８３に一定の空き容量が必要とされる。このメモリーカード８３の空き容量は、予め設定されたものであり、ＢＤ−Ｌｉｖｅにより特典画像が最適にダウンロードされるようその容量が設定されている。即ち、メモリーカード８３の空き容量が設定された容量に満たない場合は、最適にダウンロードが行われない場合が生じる。そのため、本実施形態では、メディアプレーヤー１００がメモリーカード８３の空き容量をユーザーに通知することで、ユーザーがメモリーカード８３の空き容量を逐次意識しておく手間を無くすとともに、容量不足に起因したダウンロードの失敗を防止する構成としてある。以下、本実施形態にかかるメディアプレーヤーにおけるメモリーカード８３の空き容量通知の手法を説明する。
【００３１】
＝＝＝空き容量通知について＝＝＝
図３は、録画再生装置８０が実行する空き容量通知にかかる処理を説明するフローチャートである。また、図４は、表示装置９０が実行する空き容量通知にかかる処理を説明するフローチャートである。また、図５は、録画再生装置８０のダウンロードが完了した際に、表示装置９０に表示される表示画面を示す図である。
【００３２】
ユーザーがメモリーカード８３をメモリーＩ／Ｆ８８に接続すると、ステップＳ１では、システムコントローラー８２がメモリーカード８３が接続されたことを検出する。システムコントローラー８２による接続検出は、例えば、メモリーＩ／Ｆ８８を構成するカードソケットがセンサーを備えており、カードソケットにメモリーカード８３が接続されると、システムコントローラー８２はこのセンサーから出力される信号により接続を検出する。
【００３３】
次に、ステップＳ２では、システムコントローラー８２がメモリーカード８３の空き容量を検出する。メモリーカード８３の空き容量を検出する手法は従来技術であり、ここでは説明を省略する。
【００３４】
そして、検出された空き容量が１００ＭＢ以下である場合は（ステップＳ３：ＹＥＳ）、システムコントローラー８２は、表示装置９０に、メモリーカード８３の空き容量が不足していることを通知させる容量不足通知コマンドを送信する（ステップＳ４）。なお、ステップ３で送信される容量不足通知コマンドは、ＣＥＣ規格に準ずるＶｅｎｄｏｒＣｏｍｍａｎｄに対応するものであり、ＨＤＭＩ通信部８５を通じて表示装置９０に送信される。また、この制御コマンドとともにＯＳＤ回路８４から通知画面を表すＯＳＤ画像が表示装置９０に出力される。そのため、ステップＳ４の処理によりシステムコントローラー８２は本発明の通知手段を実現する。
なお、検出された空き容量が１００ＭＢ以上である場合は（ステップＳ３：ＮＯ）、システムコントローラー８２は処理を終了する。
【００３５】
一方、図４のステップＳ１１において、表示装置９０がＨＤＭＩ通信部９１を介して制御コマンドを受信すると、ステップＳ１２において、制御部９２は受信した制御コマンドが容量不足通知コマンドであるか否かを判断する。
【００３６】
受信した制御コマンドが容量不足通知コマンドである場合は（ステップＳ１２：ＹＥＳ）、ステップＳ１３において、制御部９２は現在選択された入力画面により出力される映像データーに録画再生装置８０から出力されたＯＳＤ画像を合成させるよう指示を出す。即ち、ユーザーがダウンロード中に、入力画面を「ビデオ」から「テレビ」に切換えている場合は、フロントエンド部９３を介してバックエンド部９４に入力される映像データーにＯＳＤ画像を合成して出力させる。そのため、表示装置９０のバックエンド部９４からは、文字列「空き容量が１００ＭＢ以下です」が合成された映像データーが出力される。
【００３７】
上記構成により、メモリーカード８３を録画再生装置８０に接続すると、メモリーカード８３の空き容量が不足していることを示す画像が合成されて出力される。
一方、受信した制御コマンドが容量不足通知コマンドでない場合は（ステップＳ１２：ＮＯ）、ステップＳ１４において、制御部９２は制御コマンドに対応した制御を実行する。
【００３８】
以上説明したように、録画再生装置８０に接続されたメモリーカード８３の空き容量が一定容量に満たない場合は、メディアプレーヤー１００は、画面上にユーザーに視覚可能に通知を行うため、ユーザーは接続しようとするメモリーカード８３の空き容量を事前に認識しておく必要がなくなる。また、空き容量の不足を通知することで、空き容量不足に起因したダウンロードの失敗を防止することが可能となる。以上、第１の実施形態を説明した。
【００３９】
（２）第２の実施形態：
録画再生装置８０がメモリーカード８３の空き容量を検出するタイミングとしては様々なものが想定される。その一例として、録画再生装置８０がデーターをダウンロードする際にメモリーカード８３の空き容量を検出し、通知を行う構成としてもよい。メディアプレーヤー１００がダウンロード時にメモリーカード８３の空き容量を検出する構成とすれば、メディアプレーヤー１００の使用過程において、メモリーカード８３の記憶容量が減少した場合においても、メモリーカード８３の空き容量不足に起因した不適切なダウンロードを防止することができる。
【００４０】
図６は、第２の実施形態にかかる特典映像のダウンロード時に録画再生装置８０が実行するメモリーカード８３の空き容量通知処理を説明するフローチャートである。なお、第２の実施形態では、表示装置９０での処理は第１の実施形態と同様であるため、図４に示すフローチャートを流用して説明を行う。
【００４１】
ユーザーがリモコン装置を操作して録画再生装置８０にＢＤを再生させる制御コマンドを送信すると、図６のステップＳ２１では、システムコントローラー８２はメディア制御部８１にＢＤの再生を実行させる。そのため、メディア制御部８１は、ＢＤに記憶されたデーターを読取り、再生を開始する。
【００４２】
次に、ユーザーがリモコン装置を操作してディスクメニューの「ＢＤ−Ｌｉｖｅ」を選択すると（ステップＳ２２）、ステップＳ２３では、システムコントローラー８２がメモリーカード８３の空き容量を検出する。そして、検出された空き容量が１００ＭＢ以下である場合は（ステップＳ２４：ＹＥＳ）、システムコントローラー８２は、表示装置９０に、メモリーカード８３の空き容量が不足していることを通知させる容量不足通知コマンドを送信する（ステップＳ２５）。
【００４３】
一方、図４のステップＳ１１において、表示装置９０がＨＤＭＩ通信部９１を介して制御コマンドを受信すると、ステップＳ１２において、制御部９２は受信した制御コマンドが容量不足通知コマンドであるか否かを判断する。受信した制御コマンドが容量不足通知コマンドである場合は（ステップＳ１２：ＹＥＳ）、ステップＳ１３において、制御部９２は現在選択された入力画面により出力される映像データーに録画再生装置８０から出力されたＯＳＤ画像を合成させるよう指示を出す。
【００４４】
一方、図６のステップＳ２４において、メモリーカード８３の空き容量が１００ＭＢ以上である場合は（ＮＯ）、システムコントローラー８２は、ネットワークＩ／Ｆ８６にネットワークＮへの接続を確立させる（ステップＳ２６）。そのため、ネットワークＩ／Ｆ８６は、ＢＤに記憶されたアドレスにより指定されるダウンロードサーバー６０との接続を確立する。
【００４５】
また、ダウンロードサーバー６０への接続が確立されると、ステップＳ２７では、システムコントローラー８２はネットワークＩ／Ｆ８６にダウンロードサーバー６０に記憶されたデーターをダウンロードさせる。そのため、録画再生装置８０のメモリーカード８３に特権映像に対応したデーターのダウンロードが開始される。
【００４６】
その後、ユーザーによる操作入力、又はシステムコントローラー８２の制御により、メディア制御部８１がＢＤの再生を行い、読み取られた映像データー又はメモリーカード８３に記憶されたデーターが表示装置９０に出力される。なお、ステップＳ２７の以後、ユーザーがメモリーカードを交換した場合に、ステップＳ２２以降の処理を実行する構成としてもよい。以上、第２の実施形態を説明した。
【００４７】
（３）第３の実施形態：
上記した第１の実施形態及び第２の実施形態では、録画再生装置８０から表示装置９０への空き容量の通知は、録画再生装置８０から表示装置９０へ制御コマンドとＯＳＤ画像とを送信することで実行された。しかしながら、表示装置９０のＯＳＤ回路９７がメモリーカード８３の空き容量を通知するためのＯＳＤ画像を出力する構成としてもよい。上記構成とすることで、録画再生装置８０がＯＳＤ画像を生成する機能を有さない場合でも、表示装置９０に通知画像を表示させることができる。
【００４８】
（４）その他の実施形態：
本発明な様々な変形例が存在する。
メディアプレーヤーを構成する、録画再生装置８０及び表示装置９０とは、ケーブル７０により接続される構成に限定されない。即ち、録画再生装置８０及び表示装置９０とが一体となった構成であってもよい。
【００４９】
本発明の表示手段の構成としては表示装置を備えるものに限定されない。即ち、メディアプレーヤー１００を録画再生装置８０のみから構成する場合において、録画再生装置８０が表示手段としてのディスプレイを備えるものであってもよい。
【００５０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５１】
６０…ダウンロードサーバー、７０…ケーブル、８０…録画再生装置、８１…メディア制御部、８２…システムコントローラー、８３…メモリーカード、８４…ＯＳＤ回路、８５…ＨＤＭＩ通信部、８６…ネットワークＩ／Ｆ、８７…リモコン受信部、８８…メモリーＩ／Ｆ、９０…表示装置、９１…ＨＤＭＩ通信部、９２…制御部、９３…フロントエンド部、９４…バックエンド部、９５…ディスプレイ、９６…スピーカー、９７…ＯＳＤ回路、９８…リモコン受信部、９９…切り替え部、１００…メディアプレーヤー
【図１】
2011114782.tif 000003
【図２】
2011114782.tif 000004
【図３】
2011114782.tif 000005
【図４】
2011114782.tif 000006
【図５】
2011114782.tif 000007
【図６】
2011114782.tif 000008